(57)【要約】      （修正有）【課題】キャップと重なり、摺動回転する調節板を備えた喚吸器において、繰返しの使用をしても、調節板を所望位置に固定し続け、所望の空気量調節を可能とし、しかも調節時のクリック感を維持する喚吸器を提供する。【解決手段】調節板３のノズル用孔３５端部から、先端に外側に広がる係止部３２１を有する筒状突起３２を立設し、筒状突起３２をキャップ２のノズル用孔２５に挿入し、筒状突起３２の外周にコイルスプリング４１を、一端が筒状突起３２の係止部３２１に、他端がキャップ２の前板２３の裏面に当接するように設置し、キャップ２及び調節板３を互いの方向に付勢させた喚吸器１。【選択図】図１
0003146472.tif 000002
【実用新案登録請求の範囲】
【請求項１】
混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記キャップ又は前記調節板のノズル用孔外周端部から、先端に外側に広がる係止部を有する筒状突起を立設し、前記キャップ又は前記調節板に設けた筒状突起を前記調節板又は前記キャップのノズル用孔に挿入し、前記筒状突起の外周に、一端を筒状突起の係止部に当接させてコイルスプリングを設置し、前記キャップ及び前記調節板を互いの方向に付勢させることを特徴とする喚吸器。
【請求項２】
混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記調節板のノズル用孔外周端部から、先端に外側に広がる係止部を有する筒状突起を前記キャップ方向に立設し、前記調節板に設けた筒状突起を前記キャップのノズル用孔に挿入し、前記筒状突起の外周に、一端を筒状突起の係止部に当接させ、他端を前記キャップの前板の裏面に当接させてコイルスプリングを設置し、前記キャップ及び前記調節板を互いの方向に付勢させることを特徴とする喚吸器。
【請求項３】
混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記キャップのノズル用孔外周端部から、先端に外側に広がる係止部を有する筒状突起を前記調節板方向に立設し、前記キャップに設けた筒状突起を前記調節板のノズル用孔に挿入し、前記筒状突起の外周に、一端を筒状突起の係止部に当接させ、他端を前記調節板の前板の表面に当接させてコイルスプリングを設置し、前記キャップ及び前記調節板を互いの方向に付勢させることを特徴とする喚吸器。
【請求項４】
前記キャップの前板に円形のネジ孔を設けると共に、前記調節板の前板に該前板と同心の円弧状の長孔を設け、該長孔及び該ネジ孔にネジを挿入したことを特徴とする請求項１から３のうちいずれか１項に記載の喚吸器。
【考案の詳細な説明】
【技術分野】
【０００１】
本考案はガスレンジ用バーナーの空気調節を行う喚吸器に関する。
【背景技術】
【０００２】
ガスレンジ用バーナーは混合管の開口部に喚吸器を嵌め、喚吸器のノズル用孔にノズルを挿入し、ノズル先端から噴射するガスの噴出圧力によって周囲の空気を自然吸引して取り込み、喚吸器の開閉でバーナー内に送り込む空気の量を調節して、混合管内でノズルから噴出されたガスと吸引された空気が混合し、混合管内部で完全に比例混合して燃焼性ガスとなり、バーナーヘッドでその混合ガスが燃焼される。
【０００３】
従来の喚吸器１００は、図６に示すように、混合管の開口部に嵌め込むキャップ９０と、キャップ９０と係合して、摺動回転する調節板９１を備えて構成されている。そして、キャップ９０及び調節板９１には夫々所定形状の空気孔が設けられ、調節板９１の回転により、キャップ９０と調節板９１の空気孔の重なり程度が調節され、空気孔同士の重なった所に吸気孔が形成され、該吸気孔から空気が吸引される。
【０００４】
更に、キャップ９０の中央にはノズル用孔９４が穿孔され、調節板９１の中央部には、キャップ９０方向に延び、ノズル用孔９４に挿入される円筒状のノズル支持孔９５が設けられ、ノズル支持孔９５の先端部９６はかしめられて、外方に広げられて、キャップ９０に調節板９１が係止されている。
【考案の開示】
【考案が解決しようとする課題】
【０００５】
しかし、上記のような従来の喚吸器では、キャップと調節板の結合は、キャップ９０のノズル用孔９４と調節板９１のノズル支持孔９５の先端部９６のかしめのみにより達成されているので、空気量調節のために繰返し調節板を回転させて吸気孔の開閉を行なうことや、衝撃が加わることから、かしめ部分の磨耗、変形により、結合状態に緩みが生じ易く、吸気孔の開度を示すクリック感が失われたり、所望位置に調節板を固定し続けることが出来ず、所望の空気量調節が出来なくなるという問題点があった。更には、かしめが外れてしまい、空気量の調節が出来なくなることもあった。
【０００６】
そこで、本考案は上記従来技術の問題点を解決し、繰返しの使用をしても、調節板を所望位置に固定し続け、所望の空気量調節を可能とし、しかも調節時のクリック感を維持することを目的とする。
【課題を解決するための手段】
【０００７】
上記課題を解決するための手段は、混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記キャップ又は前記調節板のノズル用孔外周端部から、先端に外側に広がる係止部を有する筒状突起を立設し、前記キャップ又は前記調節板に設けた筒状突起を前記調節板又は前記キャップのノズル用孔に挿入し、前記筒状突起の外周に、一端を筒状突起の係止部に当接させてコイルスプリングを設置し、前記キャップ及び前記調節板を互いの方向に付勢させることを特徴とする喚吸器である。
【０００８】
又、混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記調節板のノズル用孔外周端部から、先端に外側に広がる係止部を有する筒状突起を前記キャップ方向に立設し、前記調節板に設けた筒状突起を前記キャップのノズル用孔に挿入し、前記筒状突起の外周に、一端を筒状突起の係止部に当接させ、他端を前記キャップの前板の裏面に当接させてコイルスプリングを設置し、前記キャップ及び前記調節板を互いの方向に付勢させることを特徴とする喚吸器である。
【０００９】
又、混合管の開口部に嵌め込むキャップと該キャップに重ねる調節板を備え、前記キャップの前板の一部に空気孔を設けると共に中心部にノズル用孔を設け、前記調節板の前板の一部に空気孔を設けると共に中心部にノズル用孔を設け、前記キャップのノズル用孔外周端部から、先端に外側に広がる係止部を有する筒状突起を前記調節板方向に立設し、前記キャップに設けた筒状突起を前記調節板のノズル用孔に挿入し、前記筒状突起の外周に、一端を筒状突起の係止部に当接させ、他端を前記調節板の前板の表面に当接させてコイルスプリングを設置し、前記キャップ及び前記調節板を互いの方向に付勢させることを特徴とする喚吸器である。
【００１０】
又、上記喚吸器において、前記キャップの前板に円形のネジ孔を設けると共に、前記調節板の前板に該前板と同心の円弧状の長孔を設け、該長孔及び該ネジ孔にネジを挿入したことを特徴とする喚吸器である。
【考案の効果】
【００１１】
以上のような本考案によれば、繰返しの使用をしても、調節板を所望位置に固定し続けることが出来、所望の空気量調節が可能となった。又、空気量調節時のクリック感を維持することが可能となった。
【００１２】
又、調節板に筒状突起を立設することにより、ノズル方向に突出する突起物が形成されず、喚吸器を薄く形成でき、洗浄が容易で、ガスレンジ用バーナーや喚吸器が破損する恐れが少なくなった。又、ガスレンジのノズルを挿入する際に、ノズルを挿入しやすく、取扱いが容易となった。
【００１３】
又、キャップの前板に円形のネジ孔を設けると共に、調節板の前板に該前板と同心の円弧状の長孔を設け、該長孔及び該ネジ孔にネジを挿入することで、キャップと調節板の固定、調節板の位置固定をより確実なものとすることが出来た。
【考案を実施するための最良の形態】
【００１４】
以下本考案の実施の形態を図に従って説明する。本考案の喚吸器は、混合管の開口部に嵌め込むキャップと該キャップに重ねて、摺動回転する調節板を備え、キャップ及び調節板にはバーナー内に送り込む空気の量を調節する空気孔及びバーナーのノズルを挿入するノズル用孔が設けられ、キャップ又は調節板のノズル用孔端部から、先端に外側に広がる係止部を有する筒状突起を設け、キャップ又は調節板に設けた筒状突起を調節板又はキャップのノズル用孔に挿入し、筒状突起にコイルスプリングを設置し、キャップ及び調節板を互いの方向に付勢させるものである。
【００１５】
図１及び図２は、本発明の喚吸器の第一の実施形態を示す分解斜視図及び断面図である。喚吸器１はキャップ２、調節板３、コイルスプリング４１を備えて構成されている。キャップ２、調節板３、コイルスプリング４１の材質は特に限定されないが、ステンレスや鉄にクロムめっきを施したもの等を使用することが出来る。
【００１６】
キャップ２は、円形の前板２３の外周から円筒状に側面２４が立設され、前板２３の中心部には、後述する筒状突起３２を挿入可能なノズル用孔２５が設けられると共に、前板２３の一部には、ノズル用孔２５を挟んで２個の空気孔２１，２１が夫々扇状に設けられている。空気孔２１，２１は前板２３の中心を挟んで点対称に形成されている。又、側面２４には、ネジを挿入し、喚吸器１を混合管７１に固定するための固定用螺子孔２９を所定数設けている。
【００１７】
前板２３の直径は、喚吸器１を嵌め込むガスレンジ用バーナー７の混合管７１の開口部に嵌めることが出来る大きさに形成し、側面２４の高さは固定用螺子孔２９を形成可能な高さであれば、特に限定はされない。
【００１８】
調節板３は、円形の前板３３の外周から、キャップ２方向に円筒状に側面３４が立設され、前板３３の中心部には、キャップ２のノズル用孔２５に対応してノズル用孔３５が設けられると共に、前板３３の一部には、ノズル用孔３５を挟んで２個の空気孔３１，３１が、空気孔２１と同形状で夫々扇状に設けられている。空気孔３１，３１は前板３３の中心を挟んで点対称に形成されている。又、ノズル用孔３５の外周端部から、側面３４と同一方向に、即ちキャップ２方向に、先端に外側に広がる係止部３２１を有する筒状突起３２を立設している。尚、調節板３は側面３４を設けない形状としてもよい。
【００１９】
喚吸器１は、キャップ２の前板２３、側面２４に、調整板３の前板３３、側面３４を夫々対向させて、調節板３の筒状突起３２をキャップ２のノズル用孔２５に挿入し、キャップ２に調節板３を重ね、筒状突起３２の外周にコイルスプリング４１を設置して組み立てられている。
【００２０】
係止部３２１は、筒状突起３２をノズル用孔２５に挿入した後、筒状突起３２の先端部をかしめて形成すればよく、コイルスプリング４１の設置は、係止部３２１の形成の前でもよいが後でもよい。
【００２１】
キャップ２は側面３４内に挿入されるが、側面２４と側面３４は、全周に亘って接触してもしなくてもよい。又、筒状突起３２とノズル用孔２５は、全周に亘って接触してもしなくてもよい。しかし、側面２４と側面３４或いは筒状突起３２とノズル用孔２５のいずれかが、キャップ２が回転可能な程度の嵌めあいで全周に亘って接触することは、キャップ２と調節板３のガタツキを防止するので、好ましい。
【００２２】
筒状突起３２の高さは特に限定されないが、キャップ２に調節板３を重ねた際に、キャップ２の側面２４から突出しない高さとすることが、取扱い上邪魔にならずに好ましい。
【００２３】
コイルスプリング４１は、一端が筒状突起３２の係止部３２１に、他端がキャップ２の前板２３の裏面２３１に当接し、キャップ２の前板２３を調節板３の前板３３方向に押圧すると共に、調節板３の前板３３をキャップ２の前板２３方向に引っ張り、キャップ２及び調節板３を互いの方向に付勢している。
【００２４】
喚吸器１は、キャップ２を混合管７１に固定し、ノズル用孔３５、筒状突起３２及びノズル用孔２５にガスレンジのノズルが挿入される。空気量の調整は、調節板３を、ノズルを軸として、言い換えれば前板３３及び前板２３の中心を回転中心として、キャップ２に摺接して回転させて行なう。
【００２５】
図３及び図４は、本発明の喚吸器の第二の実施形態を示す分解斜視図及び断面図である。喚吸器１０はキャップ２０、調節板３０、コイルスプリング４１を備えて構成されている。以下第一の実施形態と同一の構成には同一の符号を付して説明を割愛し、異なる構成部分のみ説明する。
【００２６】
調節板３には筒状突起を設けず、後述する筒状突起２２を挿入可能なノズル用孔３５が設けられ、キャップ２の前板２３のノズル用孔２５の外周端部から、側面２４と反対方向に、先端に外側に広がる係止部２２１を有する筒状突起２２を立設している。
【００２７】
喚吸器１０は、キャップ２の前板２３、側面２４に、調節板３の前板３３、側面３４を夫々対向させて、キャップ２の筒状突起２２を調節板３のノズル用孔３５に挿入し、キャップ２に調節板３を重ね、筒状突起２２の外周にコイルスプリング４１を設置して組み立てられている。
【００２８】
コイルスプリング４１は、一端が筒状突起２２の係止部２２１に、他端が調節板３の前板３３の表面３３１に当接し、キャップ２の前板２３を調節板３の前板３３方向に引っ張ると共に、調節板３の前板３３をキャップ２の前板２３方向に押圧し、キャップ２及び調節板３を互いの方向に付勢している。
【００２９】
このように、喚吸器１，１０は、調節板３，３０を回転させることにより、空気孔２１，３１の重なり程度が調整され、空気孔２１，３１の重なった所に吸気孔が形成され、該吸気孔から空気が吸引される。そして、喚吸器１，１０は、コイルスプリング４１でキャップ２，２０及び調節板３，３０を互いの方向に付勢しているので、繰返しの使用をしても、調節板３，３０を所望位置に固定し続け、所望の空気量調節を可能とし、しかも調節時のクリック感を維持することが可能となっている。
【００３０】
上記のような実施の形態において、第二実施形態のようにキャップ２０に筒状突起２２を立設する形態であっても、調節板３０の所望位置での固定を確実に行なうことが出来るが、喚吸器１０から突起物が突出することになるので、ガスレンジ用バーナー７をレンジから外して洗浄する際にぶつけ易く、ガスレンジ用バーナー７や喚吸器１０が破損する虞があり、又、ガスレンジのノズルを挿入する際に、ノズル方向に突出する筒状突起２２があると、ノズルを挿入し難い。
【００３１】
即ち、ノズルを挿入する際にノズル方向に突出する筒状突起がないほうが、喚吸器を薄く形成でき、洗浄が容易で、ガスレンジ用バーナー７や喚吸器が破損する虞が少ない。又、ガスレンジのノズルを挿入する際に、ノズルを挿入しやすく、取扱いが容易であるので、第一実施形態のように調節板３に筒状突起３２を立設するほうが好ましい。
【００３２】
又、空気孔２１を、前板２３の中心で直交する線によって四分割される面の対向位置に、前板２３の中心から９０°の広がりをもって一対形成すると共に、空気孔３１を、前板３３の中心で直交する線によって四分割される面の対向位置に、前板３３の中心から９０°の広がりをもって一対形成し、同形状とすることで、空気孔２１，２１と空気孔３１，３１が完全に重なる状態と、完全に重ならない状態とを作り出すことが出来る。しかし、空気孔２１，３１の形状は、この形状に限定されず、前板２３，３３の中心から９０°以上或いは以下の広がりをもって形成することとしてもよい。又、空気孔２１と２１、空気孔２１と３１、空気孔３１と３１は、夫々異なる形状としてもよい。更に、空気孔２１，３１の形状は扇状に限定されず、様々な形状とすることが出来る。又、空気孔２１，３１は、前板２３，３３に夫々一対２個設けることに限定されず、一個のみ或いは３個以上設けることとしてもよい。
【００３３】
又、キャップ２，２０の前板２３に円形のネジ孔２６を設けると共に、調節板３，３０の前板３３に前板３，３０と同心の円弧状の長孔３６を設け、長孔３６及びネジ孔２６にネジ４２を挿入してもよい。このような構成とすることで、長孔３６及びネジ孔２６にネジ４２を挿入し、締め付けることで、キャップ２，２０と調節板３，３０の固定、調節板３，３０の位置固定をより確実なものとすることが出来る。
【図面の簡単な説明】
【００３４】
【図１】本考案第一実施例分解斜視図
【図２】本考案第一実施例縦断面図
【図３】本考案第二実施例分解斜視図
【図４】本考案第二実施例縦断面図
【図５】本考案第一実施例を用いた使用状態斜視図
【図６】従来の喚吸器縦断面図
【符号の説明】
【００３５】
１      喚吸器
１０    喚吸器
２      キャップ
２０    キャップ
２１    空気孔
２２    筒状突起
２２１  係止部
２３    前板
２５    ノズル用孔
２６    ネジ孔
３      調節板
３０    調節板
３１    空気孔
３２    筒状突起
３２１  係止部
３３    前板
３５    ノズル用孔
３６    長孔
４１    コイルスプリング
４２    ネジ
７      ガスレンジ用バーナー
７１    混合管
【図１】
0003146472.tif 000003
【図２】
0003146472.tif 000004
【図３】
0003146472.tif 000005
【図４】
0003146472.tif 000006
【図５】
0003146472.tif 000007
【図６】
0003146472.tif 000008